(57)【要約】【課題】バッファ部及び間引き処理部を音声評価装置に設ける場合において、算出される音声評価値と、主観評価による音声評価値との誤差を低減する。【解決手段】本発明に係る音声評価方法は、間引き前の音声パケットに基づく音声評価値である第１評価値を算出するステップＳ３０１と、間引き後の音声パケットに基づく音声評価値である第２評価値を算出するステップＳ３０２と、間引き後の音声パケット間におけるシーケンス番号の差分を算出するステップＳ３０４と、所定の間隔に対する差分の比率を算出するステップＳ３０７，Ｓ３０８と、比率が閾値以下である場合、第１評価値を第３評価値として出力し、比率が閾値を超える場合、比率が増加するほど第３評価値を第２評価値に近づけるステップＳ３０９とを備える。【選択図】図１２
2009033684.tif 000002
【特許請求の範囲】
【請求項１】
シーケンス番号を含む音声パケットを受信するパケット受信部と、
前記パケット受信部が受信した前記音声パケットを蓄積し、蓄積した前記音声パケットを所定の間隔で出力するバッファ部と、
前記バッファ部によって蓄積された前記音声パケットに基づいて、音声通話の品質を示す音声評価値を算出する評価値算出部と
を備える音声評価装置であって、
前記バッファ部によって蓄積された前記音声パケットを一定間隔で間引く間引き処理部と、
前記間引き処理部による間引き後の前記音声パケット間における前記シーケンス番号の差分を算出し、前記所定の間隔に対する前記差分の比率を算出する比率算出部と
を備え、
前記評価値算出部は、
前記間引き処理部による間引き前の前記音声パケットに基づく前記音声評価値である第１評価値を算出する第１算出部と、
前記間引き処理部による間引き後の前記音声パケットに基づく前記音声評価値である第２評価値を算出する第２算出部と、
前記第１評価値と、前記第２評価値と、前記比率とに基づく前記音声評価値である第３評価値を算出する第３算出部と
を備え、
前記比率が閾値以下である場合、前記第１評価値を出力し、前記比率が閾値を超える場合、前記第３評価値を出力する音声評価装置。
【請求項２】
前記第３算出部は、
前記第１評価値から前記第２評価値を減算する減算部と、
前記減算部による減算結果を前記比率によって除算する除算部と、
前記第２評価値と、前記除算部による除算結果とを加算し、加算結果を前記第３評価値とする加算部と
を備える請求項１に記載の音声評価装置。
【請求項３】
パケット送信装置との間のパケット伝送経路における伝送遅延及びパケットロスの情報を含む伝送特性情報を第１測定期間において測定する伝送特性測定部と、
前記音声パケットを送信するパケット送信部と、
前記伝送特性情報出力部によって測定された前記伝送特性情報に基づき、前記パケット送信部が送信した前記音声パケットを遅延又は破棄する音声パケット処理部と
をさらに備え、
前記パケット受信部は、前記音声パケット処理部から出力される前記音声パケットを受信し、
前記伝送特性測定部は、
前記第１測定期間よりも短い第２測定期間において前記伝送特性情報を測定する短期間測定部と、
前記短期間測定部によって測定された前記伝送特性情報を前記第１測定期間が満了するまで前記評価値算出部に繰り返して出力する伝送特性情報出力部と
を備える請求項１に記載の音声評価装置。
【請求項４】
シーケンス番号を含む音声パケットを受信するパケット受信部と、
前記パケット受信部が受信した前記音声パケットを蓄積し、蓄積した前記音声パケットを所定の間隔で出力するバッファ部と
を用いた音声評価方法であって、
前記バッファ部によって蓄積された前記音声パケットを一定間隔で間引くステップと、
間引き後の前記音声パケット間における前記シーケンス番号の差分を算出するステップと、
前記所定の間隔に対する前記差分の比率を算出するステップと、
間引き前の前記音声パケットに基づく音声評価値である第１評価値を算出するステップと、
間引き後の前記音声パケットに基づく音声評価値である第２評価値を算出するステップと、
前記第１評価値と、前記第２評価値と、前記比率とに基づく音声評価値である第３評価値を算出するステップと、
前記比率が閾値以下である場合、前記第１評価値を出力し、前記比率が閾値を超える場合、前記第３評価値を出力するステップと
を備える音声評価方法。
【発明の詳細な説明】
【技術分野】
【０００１】
本発明は、音声通話の品質を評価する音声評価装置及び音声評価方法に関する。
【背景技術】
【０００２】
従来、インターネットなどのＩＰ(Internet Protocol)網を介して、符号化された音声データを含むパケット（以下、「音声パケット」）を伝送する技術であるＶｏＩＰ(Voice over Internet Protocol)が知られている。
【０００３】
また、ＶｏＩＰを利用した音声通話を実行可能な通信端末においては、ジッタ、すなわち、音声パケットの受信間隔の揺らぎを吸収するバッファ部（ジッタバッファ）が設けられる。
【０００４】
バッファ部は、パケット受信部が受信した音声パケットを蓄積し、蓄積した音声パケットを所定の間隔で出力する。バッファ部から出力された音声パケットは、復号された後にスピーカから音声として再生（出力）される。
【０００５】
また、ＶｏＩＰを利用した音声通話において、音声通話の品質を評価する音声評価装置（例えば、ＲＴＰ (Real Time Protocol)テスタ）が用いられている（特許文献１参照）。
【０００６】
このような音声評価装置は、パケット受信部が受信した音声パケットに基づいて、音声パケットの伝送遅延、ジッタ、及びパケットロスなどを測定し、測定結果に応じて、音声通話の品質を示す音声評価値を算出する。音声評価値としては、Ｅ−ｍｏｄｅｌという計算式によって求められるＲ値が用いられることが多い。
【特許文献１】特開２００４−２２２２５７号公報（第１図）
【発明の開示】
【発明が解決しようとする課題】
【０００７】
ところで、ＶｏＩＰを利用した音声通話を実行可能な通信端末においては、パケット受信部がバッファ部の容量を超える数の音声パケットを受信した場合、バッファ部に蓄積された音声パケットを一定間隔で間引く間引き処理部が設けられることがある。
【０００８】
さらに、間引き後の音声パケット間の間隔が詰められることによって、連続した音声パケットがバッファ部に蓄積される。このような間引き処理によって、バッファ部に空き容量が確保される。
【０００９】
バッファ部に蓄積される音声パケットが間引きされ、音声パケット間の間隔が詰められるので、間引き後の音声パケットが再生されると、人は倍速再生された音声として再生音を聞き取ることができる。すなわち、バッファ部に蓄積された音声パケットが間引かれても、間引かれた音声パケット数が少量、つまり再生速度が所定値以下であれば、主観評価（人による音声評価）による評価結果は低下しない。
【００１０】
また、音声評価装置は、通信端末と同様の条件で音声評価を行うことが好ましいので、バッファ部及び間引き処理部を音声評価装置に設けることが考えられる。しかしながら、音声評価装置においては、間引かれた音声パケットはパケットロスとみなされる。すなわち、バッファ部に蓄積された音声パケットが間引かれると、音声評価装置によって算出される音声評価値が大幅に低下する。
【００１１】
したがって、バッファ部及び間引き処理部を音声評価装置に設ける場合、音声評価装置によって算出される音声評価値と、主観評価による音声評価値との誤差が大きくなる問題がある。
【００１２】
そこで、本発明は、上述した課題を解決するためになされたものであり、バッファ部及び間引き処理部を音声評価装置に設ける場合において、算出される音声評価値と、主観評価による音声評価値との誤差を低減可能な音声評価装置及び音声評価方法を提供することを目的とする。
【課題を解決するための手段】
【００１３】
上述した問題を解決するため、本発明は、次のような特徴を有している。まず、本発明の第１の特徴は、シーケンス番号（ＳＮ）を含む音声パケットを受信するパケット受信部（ＲＴＰ試験パケット受信部１５６ａ）と、前記パケット受信部が受信した前記音声パケットを蓄積し、蓄積した前記音声パケットを所定の間隔（パケット間隔Ｔｓｕｂ）で出力するバッファ部（ジッタバッファ部１５９ａ）と、前記バッファ部によって蓄積された前記音声パケットに基づいて、音声通話の品質を示す音声評価値（Ｒ値）を算出する評価値算出部（統計量算出部１５６ｂ及び評価値算出部１５８）とを備える音声評価装置であって、前記バッファ部によって蓄積された前記音声パケットを一定間隔で間引く間引き処理部（バッファ制御部１５９ｂ）と、前記間引き処理部による間引き後の前記音声パケット間における前記シーケンス番号の差分（シーケンス番号差Ｓｓｕｂ）を算出し、前記所定の間隔に対する前記差分の比率（再生速度Ｖｓｐｄ）を算出する比率算出部（再生速度算出部１５９ｃ）とを備え、前記評価値算出部は、前記間引き処理部による間引き前の前記音声パケットに基づく前記音声評価値である第１評価値（評価値Ｍｄ）を算出する第１算出部（統計量算出部１５６ｂ及び評価値算出部１５８）と、前記間引き処理部による間引き後の前記音声パケットに基づく前記音声評価値である第２評価値（評価値Ｍａ）を算出する第２算出部（統計量算出部１５６ｂ及び評価値算出部１５８）と、前記第１評価値と、前記第２評価値と、前記比率とに基づく前記音声評価値である第３評価値（評価値Ｍ）を算出する第３算出部（統計量算出部１５６ｂ及び評価値算出部１５８）とを備え、前記比率が閾値以下である場合、前記第１評価値を出力し、前記比率が閾値を超える場合、前記第３評価値を出力することを要旨とする。
【００１４】
このような特徴によれば、音声評価装置は、上記比率（すなわち、再生速度）が閾値以下である場合、間引き処理部による間引き前の音声パケットに基づく音声評価値である第１評価値を出力する。また、音声評価装置は、上記比率が閾値を超える場合、第１評価値と、第２評価値と、上記比率とに基づく音声評価値である第３評価値を出力する。したがって、音声評価装置によって算出される音声評価値と、主観評価による音声評価値との誤差を低減することができる。
【００１５】
本発明の第２の特徴は、本発明の第１の特徴に係り、前記第３算出部は、前記第１評価値から前記第２評価値を減算（Ｍｄ−Ｍａ）する減算部（評価値算出部１５８）と、前記減算部による減算結果を前記比率によって除算（（Ｍｄ−Ｍａ）／α（Ｖｓｐｄ））する除算部（評価値算出部１５８）と、前記第２評価値と、前記除算部による除算結果とを加算し、加算結果（Ｍａ＋（Ｍｄ−Ｍａ）／α（Ｖｓｐｄ））を前記第３評価値とする加算部（評価値算出部１５８）とを備えることを要旨とする。
【００１６】
本発明の第３の特徴は、本発明の第１の特徴に係り、パケット送信装置（ＩＰ電話端末４）との間のパケット伝送経路（パケット伝送経路Ｒ１，Ｒ２，Ｒ３）における伝送遅延及びパケットロスの情報を含む伝送特性情報を第１測定期間（６０秒間の規定期間）において測定する伝送特性測定部（伝送特性測定部１５ａ）と、前記音声パケットを送信するパケット送信部（ＲＴＰ試験パケット送信部１５５ｃ）と、前記伝送特性情報出力部によって測定された前記伝送特性情報に基づき、前記パケット送信部が送信した前記音声パケットを遅延又は破棄する音声パケット処理部（エミュレータ部１５７）とをさらに備え、前記パケット受信部は、前記音声パケット処理部から出力される前記音声パケットを受信し、前記伝送特性測定部は、前記第１測定期間よりも短い第２測定期間（１秒間の評価対象期間）において前記伝送特性情報を測定する短期間測定部（伝送特性情報生成部１５２ｄ）と、前記短期間測定部によって測定された前記伝送特性情報を前記第１測定期間が満了するまで前記評価値算出部に繰り返して出力する伝送特性情報出力部（伝送特性情報生成部１５２ｄ）とを備えることを要旨とする。
【００１７】
本発明の第４の特徴は、シーケンス番号を含む音声パケットを受信するパケット受信部と、前記パケット受信部が受信した前記音声パケットを蓄積し、蓄積した前記音声パケットを所定の間隔で出力するバッファ部とを用いた音声評価方法であって、前記バッファ部によって蓄積された前記音声パケットを一定間隔で間引くステップ（ステップＳ３０２）と、間引き後の前記音声パケット間における前記シーケンス番号の差分を算出するステップ（ステップＳ３０４）と、前記所定の間隔に対する前記差分の比率を算出するステップ（ステップＳ３０７，Ｓ３０８）と、間引き前の前記音声パケットに基づく音声評価値である第１評価値を算出するステップ（ステップＳ３０１）と、間引き後の前記音声パケットに基づく音声評価値である第２評価値を算出するステップ（ステップＳ３０２）と、前記第１評価値と、前記第２評価値と、前記比率とに基づく音声評価値である第３評価値を算出するステップ（ステップＳ３０９）と、前記比率が閾値以下である場合、前記第１評価値を出力し、前記比率が閾値を超える場合、前記第３評価値を出力するステップ（ステップＳ３０６〜Ｓ３０９）とを備えることを要旨とする。
【発明の効果】
【００１８】
本発明によれば、バッファ部及び間引き処理部を音声評価装置に設ける場合において、算出される音声評価値と、主観評価による音声評価値との誤差を低減可能な音声評価装置及び音声評価方法を提供することができる。
【発明を実施するための最良の形態】
【００１９】
次に、図面を参照して、本発明の実施形態を説明する。以下においては、（１）通信システムの全体概略構成、（２）無線端末の構成、（３）無線端末の動作、（４）具体例、（５）作用・効果、（６）その他の実施形態、の順で説明する。
【００２０】
なお、以下の実施形態における図面の記載において、同一又は類似の部分には同一又は類似の符号を付している。
【００２１】
（１）通信システムの全体概略構成
図１は、本実施形態に係る通信システム１０の全体概略構成図である。本実施形態では、ＶｏＩＰに適用される通信システム１０について説明する。また、本実施形態では、上述した音声評価装置及び通信端末が一体として構成される場合について説明する。
【００２２】
通信システム１０は、複数の無線通信システムを含む。具体的には、通信システム１０は、第３世代携帯電話システムの一種であるcdma 2000 n x evolution - data only(ＥＶ−ＤＯ)に準拠した無線通信システム、ＩＥＥＥ ８０２．１６ｅによって規定される無線通信システム（以下、「ＷＩＭＡＸ」（登録商標））、及びＩＥＥＥ８０２．１１などによって規定される無線ＬＡＮシステム（以下、「Ｗ−ＬＡＮ」）を含む。
【００２３】
通信システム１０は、無線端末１、無線基地局３１、無線基地局３２、アクセスポイント３３、通信ネットワーク３、及びＩＰ電話端末４を有する。通信ネットワーク３は、インターネットなどのＩＰ網である。
【００２４】
ＩＰ電話端末４及び無線端末１は、通信ネットワーク３を介して、ＶｏＩＰを利用した音声通話を実行する。
【００２５】
具体的には、ＩＰ電話端末４及び無線端末１は、音声データを符号化し、符号化した音声データを含む音声パケットを一定間隔で送信する。また、ＩＰ電話端末４及び無線端末１は、受信した音声パケットから音声データを復号し、音声を出力する。
【００２６】
本実施形態では、音声データのパケット化及び転送のプロトコルとして、ＲＴＰが使用される。以下においては、ＲＴＰに従って生成されたパケットをＲＴＰパケットと呼ぶ。なお、呼制御プロトコルとしては、例えばＳＩＰ（Session Initiation Protocol）が使用される。
【００２７】
無線基地局３１は、ＥＶ-ＤＯに準拠した無線通信システムに含まれる。無線基地局３２は、ＷｉＭＡＸに準拠した無線通信システムに含まれる。アクセスポイント３３は、Ｗ−ＬＡＮに準拠した無線通信システムに含まれる。
【００２８】
無線端末１は、無線基地局３１、無線基地局３２及びアクセスポイント３３と無線通信を実行することができる。つまり、無線端末１は、ＥＶ-ＤＯに準拠した無線通信システム、ＷｉＭＡＸに準拠した無線通信システム、及びＩＥＥＥ８０２．１１などによって規定されるＷ−ＬＡＮに接続することができる。
【００２９】
無線端末１は、無線端末１の移動に伴ってハンドオーバを実行する。図１の例では、無線端末１がハンドオーバを実行することによって、パケット伝送経路がＲ１，Ｒ２及びＲ３の順で切り替っている。
【００３０】
また、無線端末１は、ＩＰ電話端末４によって送信されたＲＴＰパケットを受信し、受信したＲＴＰパケットに基づいて音声品質の評価値（Ｒ値）を算出する。すなわち、無線端末１は、評価値を算出するＲＴＰテスタ部１５ｂ（図４参照）を具備し、ＲＴＰテスタ部１５ｂを用いて評価値を得る。
【００３１】
ＲＴＰテスタ部１５ｂにおける音声評価は、最低６０秒間の測定時間（規定期間）を要する。しかしながら、ハンドオーバ時点における音声評価を行う場合、１秒間程度の評価対象期間において音声評価を行う必要がある。  本実施形態では、無線端末１は、１秒間程度の評価対象期間において測定されたＲＴＰパケットの情報を用いて、６０秒間の測定時間（規定期間）を要するＲＴＰテスタ部１５ｂにて、評価対象期間の音声品質の評価を行う。
【００３２】
さらに、無線端末１は、算出した評価値（Ｒ値）に基づいて音声品質が悪化したと判断した場合、音声符号化方式を低レート用の符号化方式に切り替え、音声通話を維持する。一方、無線端末１は、音声品質が良好と判断した場合には、音声符号化方式を高レート用の符号化方式に切り替え、音声品質を向上させる。
【００３３】
（２）無線端末の構成
次に、無線端末１の構成について説明する。
【００３４】
（２．１）無線端末の概略構成
図２は、無線端末１の概略構成図である。図２に示すように、無線端末１は、アンテナ１１ａ〜１１ｃ、ＥＶ-ＤＯ通信部１２ａ、ＷｉＭＡＸ通信部１２ｂ、Ｗ−ＬＡＮ通信部１２ｃ、操作部１３、音声コーデック部１４、制御部１５、マイク１６ａ、スピーカ１６ｂ、表示部１７、記憶部１８、及びジッタバッファ１９を有する。
【００３５】
ＥＶ-ＤＯ通信部１２ａは、無線基地局３１との間において、ＥＶ-ＤＯに従った無線信号を、アンテナ１１ａを介して送受信する。ＷｉＭＡＸ通信部１２ｂは、無線基地局３２との間において、ＷｉＭＡＸに従った無線信号を、アンテナ１１ｂを介して送受信する。Ｗ−ＬＡＮ通信部１２ｃは、アクセスポイント３３との間において、Ｗ−ＬＡＮに従った無線信号を、アンテナ１１ｃを介して送受信する。
【００３６】
また、ＥＶ-ＤＯ通信部１２ａ、ＷｉＭＡＸ通信部１２ｂ及びＷ−ＬＡＮ通信部１２ｃは、無線信号とベースバンド信号との変換を実行し、ベースバンド信号を制御部１５と送受信する。
【００３７】
操作部１３は、テンキーやファンクションキーなどによって構成され、ユーザの操作内容を入力するために用いられるインタフェースである。
【００３８】
音声コーデック部１４は、マイク１６ａから取得した音声データを符号化し、制御部１５から取得した音声データを復号する。マイク１６ａは、音声を集音し、集音された音声に基づいて音声データを、音声コーデック部１４を介して制御部１５に入力する。スピーカ１６ｂは、制御部１５から取得した音声データに基づいて、音声コーデック部１４を介して音声を出力する。
【００３９】
表示部１７は、制御部１５を介して、受信した画像を表示したり、操作内容（入力電話番号やアドレスなど）を表示したりする。
【００４０】
制御部１５は、無線端末１が具備する各種機能を制御する。また、制御部１５は、ＲＴＰ、ＩＰ、及びＳＩＰなどの各種のプロトコルを実行する。記憶部１８は、無線端末１における制御などに用いられる各種情報を記憶する。
【００４１】
（２．２）ジッタバッファ
ジッタバッファ１９は、ジッタを吸収するために用いられる。また、ジッタバッファ１９は、ＲＴＰパケットに含まれるシーケンス番号に基づいて、受信したＲＴＰパケットがＲＴＰパケットの送信順となるように並べ替える。
【００４２】
さらに、ジッタバッファ１９は、受信したＲＴＰパケットを蓄積し、蓄積したＲＴＰパケットを所定の間隔で音声コーデック部１４に渡す。音声コーデック部１４は、ジッタバッファ１９からのＲＴＰパケットを復号する。これにより、適切な再生速度にてＲＴＰパケットが再生される。
【００４３】
無線端末１が大量のＲＴＰパケットを受信した場合、ＲＴＰパケットがジッタバッファ１９に収まらなくなる。このような場合のジッタバッファ１９における挙動としては、次の１）〜３）のタイプがある。
【００４４】
１）ジッタバッファに収まりきらないＲＴＰパケットを破棄する。
【００４５】
２）先に保持していたＲＴＰパケットをすべて破棄し、新しいＲＴＰパケットを蓄積する。
【００４６】
３）先に保持していたＲＴＰパケットを間引き、新しいＲＴＰパケットを蓄積する。
【００４７】
上記１）、２）では、シーケンス番号の連続するＲＴＰパケットが破棄される。これに対して上記３）では、間引きによって、シーケンス番号の連続しないＲＴＰパケットが破棄される。本実施形態では、上記３）のタイプのジッタバッファ１９が用いられる。
【００４８】
図３は、ジッタバッファ１９におけるＲＴＰパケットの間引き動作を説明する説明図である。
【００４９】
図３（ａ）では、シーケンス番号１〜１６のＲＴＰパケットがジッタバッファ１９に蓄積されており、空き容量がない状態である。このような状態において、新たなＲＴＰパケットが受信されたものとする。
【００５０】
図３（ｂ）では、シーケンス番号４，８，１２，１６のＲＴＰパケットが間引かれている。これにより、ジッタバッファ１９に蓄積されたＲＴＰパケットのデータ量が３／４になる。
【００５１】
ここでは４つのＲＴＰパケット毎に１つのＲＴＰパケットが間引かれているが、２つ又は３つのＲＴＰパケット毎に１つのＲＴＰパケットが間引かれてもよい。
【００５２】
図３（ｃ）では、間引き後のＲＴＰパケット間の間隔が詰められている。この結果、ジッタバッファ１９に空き容量が確保され、新たなＲＴＰパケットを蓄積可能となる。
【００５３】
図３（ｃ）に示すようなＲＴＰパケットが再生される際には、本来の３／４の時間で再生が完了する。つまり、ユーザは、倍速再生された音声として認識する。しかしながら、倍速再生されたからといって、ユーザは、音声として聞き取れなくなる訳ではない。
【００５４】
一方、１回の間引きでも新たなＲＴＰパケットを収容できず、間引きを繰り返し行っていくと、シーケンス番号の連続する複数のＲＴＰパケットが破棄されることになり、ユーザは、音声として聞き取れなくなる。本実施形態では、このようなジッタバッファ１９の挙動を考慮して、音声評価が行われる。
【００５５】
（２．３）無線端末の詳細構成
図４は、無線端末１の詳細構成、具体的には、制御部１５及び記憶部１８によって実行される各機能の機能ブロック図である。なお、以下においては、本発明に関連する点について主に説明する。
【００５６】
図４に示すように、無線端末１は、伝送特性測定部１５ａ、ＲＴＰテスタ部１５ｂ及び符号化制御部１５ｃを有する。
【００５７】
伝送特性測定部１５ａは、各無線通信部（ＥＶ-ＤＯ通信部１２ａ、ＷｉＭＡＸ通信部１２ｂ及びＷ−ＬＡＮ通信部１２ｃ）と、音声コーデック部１４との間で送受信されるＲＴＰパケットを取得する。また、伝送特性測定部１５ａは、ＥＶ-ＤＯ通信部１２ａ、ＷｉＭＡＸ通信部１２ｂ及びＷ−ＬＡＮ通信部１２ｃから、無線通信に関する情報（以下、「無線情報」）を取得する。
【００５８】
伝送特性測定部１５ａは、取得したＲＴＰパケットと、取得した無線情報とに基づいて、パケット伝送経路Ｒ１，Ｒ２又はＲ３の特性を示す伝送特性情報を測定する。具体的には、伝送特性測定部１５ａは、伝送特性情報として伝送遅延及びパケットロスを測定する。
【００５９】
ＲＴＰテスタ部１５ｂは、伝送特性測定部１５ａによって測定された伝送測定情報に基づいて、評価値（Ｒ値）を算出する。具体的には、ＲＴＰテスタ部１５ｂは、伝送測定情報を用いてパケット伝送経路Ｒ１，Ｒ２又はＲ３をエミュレートし、規定期間分の伝送特性情報の測定を可能とする。
【００６０】
符号化制御部１５ｃは、ＲＴＰテスタ部１５ｂによって算出された評価値（Ｒ値）に応じて、音声符号化方式を制御する。
【００６１】
以下、伝送特性測定部１５ａの詳細構成、及びＲＴＰテスタ部１５ｂの詳細構成について説明する。
【００６２】
（２．３．１）伝送特性測定部の詳細構成
図４に示すように、伝送特性測定部１５ａは、無線情報取得部１５１ａ、パケット受信部１５１ｂ、無線情報記憶部１８ａ、受信パケット情報記憶部１８ｂ、安定期間特定部１５２ａ、送信間隔算出部１５２ｂ、相対遅延算出部１５２ｃ、伝送特性情報生成部１５２ｄ、評価対象期間選択部１５３ａ、無線通信システム特定部１５３ｂ、基準伝送遅延記憶部１８ｃ、計時部１５４ａ、及び時間拡張制御部１５４ｂを有する。
【００６３】
無線情報取得部１５１ａは、ＥＶ-ＤＯ通信部１２ａ、ＷｉＭＡＸ通信部１２ｂ及びＷ−ＬＡＮ通信部１２ｃから、無線情報を取得する。無線情報は、例えば、無線信号の受信品質（ＲＳＳＩやＳＮＲ）や、基地局識別子である。取得された無線情報は、無線情報記憶部１８ａに格納される。また、無線情報は、無線端末１が接続中の無線通信システムを示す情報を含む。
【００６４】
パケット受信部１５１ｂは、ＲＴＰパケットを受信する。また、パケット受信部１５１ｂは、受信したＲＴＰパケットの受信時刻及びシーケンス番号などを、受信パケット情報として受信パケット情報記憶部１８ｂに格納する。
【００６５】
安定期間特定部１５２ａは、無線情報記憶部１８ａに格納された受信品質情報から、無線通信が安定している（例えば、受信品質が閾値以上である）期間を特定する。
【００６６】
送信間隔算出部１５２ｂは、安定期間特定部１５２ａによって特定された期間におけるＲＴＰパケットの受信時刻を、受信パケット情報記憶部１８ｂから取得する。送信間隔算出部１５２ｂは、取得した受信時刻から、ＩＰ電話端末４がＲＴＰパケットを送信する送信間隔を算出する。
【００６７】
評価対象期間選択部１５３ａは、１秒間程度の評価対象期間を選択する。
【００６８】
相対遅延算出部１５２ｃは、受信パケット情報に基づいて、評価対象期間選択部１５３ａによって選択された評価対象期間における相対遅延（伝送遅延）を算出する。相対遅延の詳細については後述する。
【００６９】
また、相対遅延算出部１５２ｃは、受信パケット情報から、評価対象期間におけるＲＴＰパケットをシーケンス番号に従ってソートすることによって、パケット伝送経路Ｒ１，Ｒ２又はＲ３において損失したパケット（パケットロス）を特定する。
【００７０】
無線通信システム特定部１５３ｂは、評価対象期間において無線端末１が接続していた無線通信システムを特定する。
【００７１】
伝送特性情報生成部１５２ｄは、無線通信システム特定部１５３ｂによって特定された無線通信システムに対応する基準伝送遅延（システム遅延）を基準伝送遅延記憶部１８ｃから取得する。基準伝送遅延とは、ＲＴＰパケットの構築・分解などに要する固定的な遅延時間であり、無線通信システム毎に固有の遅延時間である。
【００７２】
伝送特性情報生成部１５２ｄは、相対遅延算出部１５２ｃによって算出された相対遅延と、基準伝送遅延記憶部１８ｃから取得された基準伝送遅延とを用いて伝送遅延を算出する。
【００７３】
パケットロスの情報（以下、パケットロス情報）、及び算出された伝送遅延の情報（以下、「伝送遅延情報」）は、伝送特性情報生成部１５２ｄに記憶される。
【００７４】
時間拡張制御部１５４ｂは、ＲＴＰテスタ部１５ｂから送信される測定開始指示及び測定終了指示に従い、伝送特性情報生成部１５２ｄに対して、伝送特性情報の出力開始及び停止を指示する。また、時間拡張制御部１５４ｂは、計時部１５４ａの時間情報と、測定開始からの経過時間とに基づいて、伝送遅延情報及びパケットロス情報の出力を伝送特性情報生成部１５２ｄに指示する。
【００７５】
（２．３．２）ＲＴＰテスタ部の詳細構成
図４に示すように、ＲＴＰテスタ部１５ｂは、エミュレータ部１５７、制御メッセージ送受信部１５５ａ、送信制御部１５５ｂ、ＲＴＰ試験パケット送信部１５５ｃ、制御パケット送受信部１５５ｄ、ＲＴＰ試験パケット受信部１５６ａ、統計量算出部１５６ｂ、制御パケット送受信部１５６ｃ、ＲＴＴ測定部１５６ｄ、測定制御部１５６ｅ、制御メッセージ送受信部１５６ｆ、評価値算出部１５８、ジッタバッファ部１５９ａ、バッファ制御部１５９ｂ、及び再生速度算出部１５９ｃを有する。
【００７６】
エミュレータ部１５７は、伝送遅延情報及びパケットロス情報に基づいて、ＲＴＰ試験パケット及び制御パケット（ＩＣＭＰパケット）の滞留処理及び破棄処理を行う。ＲＴＰ試験パケット送信部１５５ｃから送信されたＲＴＰ試験パケットは、エミュレータ部１５７において、伝送遅延情報に応じた滞留後、ＲＴＰ試験パケット受信部１５６ａによって受信される。さらに、エミュレータ部１５７は、パケットロス情報に応じて、ＲＴＰ試験パケットを破棄する。
【００７７】
測定制御部１５６ｅは、制御メッセージ送受信部１５６ｆ及び制御メッセージ送受信部１５５ａを介して、送信制御部１５５ｂに対して測定の開始及び停止を指示する。また、測定制御部１５６ｅは、ＲＴＴ測定部１５６ｄに対して、往復時間（ＲＴＴ）の測定を指示する。
【００７８】
ＲＴＴ測定部１５６ｄは、制御パケット送受信部１５６ｃを介して制御パケットを送信する。ＲＴＴ測定部１５６ｄは、制御パケット送受信部１５５ｄからの返信を受信し、往復時間を測定する。
【００７９】
送信制御部１５５ｂは、測定制御部１５６ｅからの測定開始の指示に従い、ＲＴＰ試験パケット送信部１５５ｃに対して送信開始を指示する。
【００８０】
統計量算出部１５６ｂは、ＲＴＰ試験パケットの統計処理を行い、統計情報を算出する。統計情報とは、平均伝送遅延（伝送遅延の平均値）、ジッタ（伝送遅延の揺らぎ）、パケットロス率などである。
【００８１】
評価値算出部１５８は、統計量算出部１５６ｂによって算出された統計情報、及びＲＴＴ測定部１５６ｄによって測定された往復時間に基づいて、評価対象期間における評価値（Ｒ値）を算出する。
【００８２】
ジッタバッファ部１５９ａは、ＲＴＰ試験パケット受信部１５６ａが受信したＲＴＰ試験パケットを蓄積する。バッファ制御部１５９ｂは、ジッタバッファ部１５９ａを制御する。なお、ジッタバッファ部１５９ａは、図２に示したジッタバッファ１９と同様にして用いられる。
【００８３】
再生速度算出部１５９ｃは、ジッタバッファ部１５９ａから読み出されるＲＴＰ試験パケットの読み出し速度（再生速度）を算出する。評価値算出部１５８は、再生速度算出部１５９ｃによって算出される再生速度を考慮して、音声評価値を算出する。
【００８４】
（２．４）伝送遅延測定処理
次に、伝送特性測定部１５ａによって実行される伝送遅延測定処理について説明する。図５は、伝送遅延測定処理を説明するための説明図である。
【００８５】
（２．４．１）送信間隔算出処理
まず、送信間隔算出部１５２ｂによって実行される送信間隔算出処理について説明する。
【００８６】
ＲＴＰパケットの送信側（ＩＰ電話端末４）と、ＲＴＰパケットの受信側（無線端末１）とでは、計時が一致しているとは限らない。例えば、ＲＴＰパケットの送信側と、ＲＴＰパケットの受信側とでは、数[msec]程度の誤差が存在する。
【００８７】
このため、誤差の補正を行わずに、受信したＲＴＰパケットに基づいて、通信状態の再現（エミュレート）を行った場合、長時間の再現により累積的な誤差として、まったく異なる通信状態が再現されることになる。
【００８８】
このような問題を回避するために、送信間隔算出部１５２ｂは、予定されていた送信間隔（例えば２０［ｍｓ］）の代わりに、算出した送信間隔（Tjtr）を用いる。
【００８９】
送信間隔算出部１５２ｂは、評価対象期間と同じ無線通信システム（type）を用いた期間の内、伝搬環境が最良と言える（例えば、受信品質値が最も高い）期間における平均受信間隔を、式（１）により送信間隔として算出する。
Tjtr = Mean ( Trec(sn) - Trec(sn-1) )      ・・・（１）
【００９０】
（２．４．２）伝送遅延算出処理
次に、相対遅延算出部１５２ｃ及び伝送特性情報生成部１５２ｄによって実行される伝送遅延算出処理について説明する。
【００９１】
相対遅延算出部１５２ｃは、同一の無線通信システム（type）にて通信時に受信したＲＴＰパケットに対して、あるＲＴＰパケットを基準として、受信経過時間と、送信経過時間との差分値を算出する。ここで、送信経過時間は、送信間隔（Tjtr）に基づいて算出される。
【００９２】
伝送特性情報生成部１５２ｄは、算出された差分値が最低となるＲＴＰパケットを基準パケット（sn0）として特定する。基準パケット（sn0）の遅延（システム遅延）が、その無線通信システム（type）における最短の遅延となる。
【００９３】
したがって、特定されたＲＴＰパケット（基準パケット；sn0）の遅延は、対象とする無線通信システム（type）に固有の遅延（基準伝送遅延（Tdlybas(type)）のみであるとみなされる。
【００９４】
例えば、伝送特性情報生成部１５２ｄは、図６において評価対象期間が期間[Ｔ１，Ｔ２]である場合、ＷｉＭＡＸにて無線通信していると判断し、ＷｉＭＡＸに対応する基準伝送遅延（Tdlybas(type):type=WiMAX）を得る。  
【００９５】
そして、伝送特性情報生成部１５２ｄは、評価値算出の対象区間のパケット（ｓｎ）に対して、伝送遅延Tdly(sn)を算出する。
【００９６】
Tdly(sn) = ( Trec(sn) - Trec(sn0) ) - Tjtr × ( sn - sn0 ) + Tdlybas(type)    ・・・（２）
式（２）により、個々のＲＴＰパケットの伝送遅延が算出される。
【００９７】
（２．５）パケットロス測定処理
次に、相対遅延算出部１５２ｃ及び伝送特性情報生成部１５２ｄによって実行されるパケットロス測定処理について説明する。
【００９８】
相対遅延算出部１５２ｃは、受信したＲＴＰパケットのＳＮ（シーケンス番号）の欠けを検知する。欠けたＳＮ（シーケンス番号）は、パケット伝送経路において損失したことを意味する。
【００９９】
つまり、相対遅延算出部１５２ｃは、評価値算出の対象区間におけるパケットをシーケンス番号順にソートし、損失したシーケンス番号を特定する。相対遅延算出部１５２ｃは、エミュレータ部１５７においてパケットの損失（パケットロス）を再現するため、以下のように損失フラグ（Lost(sn)）を設定する。
Lost(sn) = TRUE :  パケットロス
FALSE : パケットあり  
【０１００】
（２．６）エミュレート処理
次に、ＲＴＰテスタ部１５ｂによって実行されるエミュレート処理について、図７を用いて説明する。
【０１０１】
上記のように、評価対象期間（例えば１秒間）は、規定期間（例えば６０秒間）に対して短い。このため、ＲＴＰテスタ部１５ｂは、評価対象期間のＲＴＰパケットの伝送遅延（Tdly(sn)）、損失フラグ（Lost(sn)）に基づいて、パケット伝送経路をエミュレート（再現）する。パケット伝送経路をエミュレート（再現）することによって、規定期間（例えば６０秒間）における測定が可能となる。
【０１０２】
図７は、横軸をＳＮ（シーケンス番号）、縦軸を伝送遅延としたグラフである。図７（ａ）は、評価対象期間における実測定結果を示している。図７（ｂ）は、規定期間に対応するシーケンス番号の期間[Ｎ０，Ｎ１]の評価処理時を示している。
【０１０３】
時間拡張制御部１５４ｂは、評価開始からの経過時間に応じたシーケンス番号を特定し、シーケンス番号に基づく伝送遅延情報及びパケットロス情報を伝送特性情報生成部１５２ｄからエミュレータ部１５７に出力する。
【０１０４】
すなわち、伝送特性情報生成部１５２ｄは、規定期間（に相当するシーケンス番号）［Ｓ０，Ｓｍ］に対して、評価対象期間（に相当するシーケンス番号）［Ｎ０，Ｎ１）（Ｎ１含まず）の伝送遅延情報及びパケットロス情報を繰り返し出力する。
【０１０５】
つまり、期間［Ｓ１，Ｓ２）（Ｓ２含まず）におけるシーケンス番号Ｓａの伝送遅延情報及びパケットロス情報には、期間［Ｎ０，Ｎ１）（Ｎ１含まず）の対応するシーケンス番号Ｎａ（＝Ｓａ−Ｓ１＋Ｎ０）の伝送遅延情報及びパケットロス情報が用いられる。
【０１０６】
これにより、短期間の評価対象期間に基づいて、測定上必要とする規定期間長に拡張し、評価対象期間における評価値を得ることが可能となる。
【０１０７】
（２．７）評価値算出処理
次に、ＲＴＰテスタ部１５ｂによって実行される評価値算出処理について説明する。
【０１０８】
再生速度算出部１５９ｃは、ジッタバッファ部１５９ａから再生される（読み出される）ＲＴＰ試験パケットのシーケンス番号差Ｓｓｕｂと、ＲＴＰ試験パケットの再生間隔（以下、「パケット間隔」）Ｔｓｕｂとを算出する。
【０１０９】
具体的には、パケット間隔Ｔｓｕｂは、ＲＴＰ試験パケットＮ、Ｎ＋１が再生された時間（ＴＮ、ＴＮ＋１）の時間差（ＴＮ＋１−ＴＮ）を、パケット送信間隔（例えば、２０[ms]）で割った値であり、シーケンス番号差Ｓsubとの比較のために規格化した値である。
【０１１０】
再生速度算出部１５９ｃは、次の式（３）に従って、評価対象期間における平均値として再生速度Ｖｓｐｄを算出する。
【０１１１】
【数１】
2009033684.tif 000003
式（３）及び図８に示すように、パケット間隔Ｔｓｕｂがシーケンス番号差Ｓｓｕｂ以上である場合、スロー再生とみなされ、再生速度Ｖｓｐｄ＝０になる。
【０１１２】
また、統計量算出部１５６ｂ及び評価値算出部１５８は、ジッタバッファ部１５９ａにおいて間引きが行われていない場合の評価値Ｍｄと、ジッタバッファ部１５９ａにおいて間引きが行われている場合の評価値Ｍａとを算出する。
【０１１３】
評価値算出部１５８は、次の式（４）に従って最終的な評価値Ｍを算出する。
【０１１４】
【数２】
2009033684.tif 000004
ここで、図９に示すように、α（Ｖｓｐｄ）は、再生速度Ｖｓｐｄの増加に応じて、指数関数的に増加する。
【０１１５】
式（４）から分かるように、再生速度Ｖｓｐｄが０の場合（α（Ｖｓｐｄ）＝１）、評価値Ｍは、評価値Ｍｄになる。再生速度Ｖｓｐｄが１の場合、評価値Ｍは、評価値Ｍｄ及びＭａの間の値になる。再生速度Ｖspdが大きい値になると、評価値Ｍは、評価値Ｍａに近づく。
【０１１６】
（３）無線端末の動作
次に、無線端末１の動作について説明する。
【０１１７】
（３．１）評価値算出手順の概略
図１０は、無線端末１によって実行される評価値算出手順の概要を示すフローチャートである。
【０１１８】
ステップＳ１０１において、安定期間特定部１５２ａは、無線情報記憶部１８ａに記憶されている無線情報から、無線状態の良好な（安定した）期間を特定する。
【０１１９】
ステップＳ１０２において、送信間隔算出部１５２ｂは、安定期間特定部１５２ａによって特定された期間において受信されたＲＴＰパケットの受信パケット情報を取得する。
【０１２０】
ステップＳ１０３において、送信間隔算出部１５２ｂは、式（１）により、送信間隔Ｔｊｔｒを算出する。
【０１２１】
ステップＳ１０４において、評価対象期間選択部１５３ａは、評価対象期間を選択する。
【０１２２】
ステップＳ１０５において、無線通信システム特定部１５３ｂは、無線情報から無線通信システムを特定する。
【０１２３】
ステップＳ１０６において、伝送特性情報生成部１５２ｄは、無線通信システム（type）に応じた基準伝送遅延（Tdlybas(type)）を取得する。
【０１２４】
ステップＳ１０７において、伝送特性情報生成部１５２ｄは、無線通信システム（type）を使用した期間において、任意のパケットを基準として伝送遅延を算出し、伝送遅延の最低値を有するパケットを特定する（sn0）。
【０１２５】
ステップＳ１０８において、伝送特性情報生成部１５２ｄは、式（２）により、伝送遅延を算出する。
【０１２６】
ステップＳ１０９において、伝送特性情報生成部１５２ｄは、評価値算出の対象区間におけるＲＴＰパケットをシーケンス番号順にソートし、欠落したＲＴＰパケットのシーケンス番号を特定する。
【０１２７】
ステップＳ１１０〜ステップＳ１１２において、ＲＴＰテスタ部１５ｂは、規定期間においてエミュレート処理（仮想測定動作）を実行する。エミュレート処理の詳細については後述する。
【０１２８】
ステップＳ１１３において、評価値算出部１５８は、エミュレート処理の測定結果を用いて評価値を算出する。
【０１２９】
（３．２）エミュレート手順
図１１は、無線端末１によって実行されるエミュレート手順、具体的には、図１０のステップＳ１１１の詳細を示すフローチャートである。
【０１３０】
ステップＳ２０１において、エミュレータ部１５７は、ＲＴＰ試験パケット送信部１５５ｃから送信されたＲＴＰ試験パケットを受信する。
【０１３１】
ステップＳ２０２において、測定制御部１５６ｅは、受信パケット数Ｓａを更新（Ｓａ＋＋）する。
【０１３２】
ステップＳ２０３において、測定制御部１５６ｅは、エミュレータ部１５７が受信したＲＴＰ試験パケットが評価対象期間のいずれのＲＴＰパケット（Ｎａ）に該当するかを算出する。具体的には、測定制御部１５６ｅは、（Ｓａ−Ｓ０＋１）から（Ｎ１−Ｎ０＋１）で余りを算出し、余りにＮ０を足す。
【０１３３】
ステップＳ２０４において、測定制御部１５６ｅは、Ｎａのパケットの伝送遅延情報及びパケットロス情報を読出し、エミュレータ部１５７が受信したＲＴＰ試験パケットに適用する。
【０１３４】
（３．３）評価値算出手順の詳細
次に、無線端末１によって実行される評価値算出手順の詳細について説明する。図１２は、無線端末１によって実行される評価値算出手順、具体的には、図１０のステップＳ１１３の詳細を示すフローチャートである。
【０１３５】
ステップＳ３０１において、統計量算出部１５６ｂ及び評価値算出部１５８は、バッファ制御部１５９ｂによる間引きなしの評価値Ｍｄを算出する。
【０１３６】
ステップＳ３０２において、統計量算出部１５６ｂ及び評価値算出部１５８は、バッファ制御部１５９ｂによる間引きありの評価値Ｍａを算出する。
【０１３７】
ステップＳ３０３において、バッファ制御部１５９ｂは、Ｎ番目のパケットをジッタバッファ部１５９ａから読み出す。ここで、ジッタバッファ部１５９ａから読み出されたＲＴＰ試験パケットのシーケンス番号はＳＮ（Ｎ）であり、読み出し時刻はＴ（Ｎ）である。
【０１３８】
ステップＳ３０４において、再生速度算出部１５９ｃは、シーケンス番号差Ｓｓｕｂを算出する。
【０１３９】
ステップＳ３０５において、再生速度算出部１５９ｃは、パケット間隔Ｔｓｕｂを算出する。
【０１４０】
ステップＳ３０６において、再生速度算出部１５９ｃは、ステップＳ３０４で算出したシーケンス番号差Ｓｓｕｂが、ステップＳ３０５で算出したパケット間隔Ｔｓｕｂよりも大きいか否かを判定する。
【０１４１】
シーケンス番号差Ｓｓｕｂがパケット間隔Ｔｓｕｂよりも大きい場合、ステップＳ３０７に処理が進む。ステップＳ３０７において、再生速度算出部１５９ｃは、式（３）に従って再生速度Ｖｓｐｄを算出する。
【０１４２】
一方、シーケンス番号差Ｓｓｕｂがパケット間隔Ｔｓｕｂ以下である場合、ステップＳ３０８に処理が進む。ステップＳ３０８において、再生速度算出部１５９ｃは、式（４）に従って再生速度Ｖｓｐｄを０に設定する。
【０１４３】
ステップＳ３０９において、評価値算出部１５８は、ステップＳ３０１で算出された評価値Ｍｄと、ステップＳ３０２で算出された評価値Ｍａと、ステップＳ３０７又はステップＳ３０８で算出された再生速度Ｖｓｐｄとに基づき、式（４）に従って最終的な評価値Ｍを算出する。
【０１４４】
（４）具体例
次に、具体例を挙げて、本実施形態によって得られる効果を説明する。以下では、音声品質の評価値として、主観的な音声品質であるＭＯＳ値を用いる。ＭＯＳ値では、以下の１〜５の５段階で、実際に人間が音声品質を評価する。
【０１４５】
５  ：  話の内容を容易に理解できる。全く努力を要せず、リラックスした状態で聞き取り可能である。
【０１４６】
４  ：  わずかな努力で理解できる。注意していれば、努力は必要としない。
【０１４７】
３  ：  中程度の努力を要する。
【０１４８】
２  ：  かなりの努力を要する。
【０１４９】
１  ：  不接続、呼切断、無音。努力しても全く聞き取れない。
【０１５０】
間引きに伴う破棄が生じた期間において、音声が聞き取ることが可能であるにも関わらず、従来の手法では評価値が1程度（非常に悪い（努力しても全く聞き取れない））になっていた箇所に対して、上述した評価値算出手順を用いて評価値を算出した。この結果、２．０〜２．５程度（悪い（かなりの努力を要する）〜）の評価値が算出された。よって、主観評価に近い評価値を算出可能であることが確認された。
【０１５１】
（５）作用・効果
本実施形態によれば、無線端末１は、ＲＴＰ試験パケットを受信するＲＴＰ試験パケット受信部１５６ａと、ＲＴＰ試験パケット受信部１５６ａが受信したＲＴＰ試験パケットを蓄積し、蓄積したＲＴＰ試験パケットを間隔Ｔｓｕｂにて出力するジッタバッファ部１５９ａと、ジッタバッファ部１５９ａによって蓄積されたＲＴＰ試験パケットに基づいて、音声評価値（Ｒ値）を算出する評価値算出部１５８とを備える。
【０１５２】
また、無線端末１は、ジッタバッファ部１５９ａによって蓄積されたＲＴＰ試験パケットを一定間隔で間引くバッファ制御部１５９ｂと、バッファ制御部１５９ｂによる間引き後のＲＴＰ試験パケット間におけるシーケンス番号差Ｓｓｕｂを算出し、間隔Ｔｓｕｂに対するシーケンス番号差Ｓｓｕｂの比率（再生速度Ｖｓｐｄ）を算出する再生速度算出部１５９ｃとを備える。
【０１５３】
評価値算出部１５８は、バッファ制御部１５９ｂによる間引き前のＲＴＰ試験パケットに基づく評価値Ｍｄと、バッファ制御部１５９ｂによる間引き後のＲＴＰ試験パケットに基づく評価値Ｍａとを算出する。さらに、評価値算出部１５８は、評価値Ｍｄと、評価値Ｍａと、再生速度Ｖｓｐｄとに基づく最終的な評価値Ｍを算出する。
【０１５４】
評価値算出部１５８は、再生速度Ｖｓｐｄが標準再生速度ＴＨ以下である場合、評価値Ｍｄを評価値Ｍとして出力する。また、評価値算出部１５８は、再生速度Ｖｓｐｄが標準再生速度ＴＨを超える場合、再生速度Ｖｓｐｄが増加するほど評価値Ｍを評価値Ｍａに近づける。
【０１５５】
したがって、無線端末１によって算出される音声評価値Ｍと、主観評価による音声評価値との誤差を低減することができる。
【０１５６】
本実施形態によれば、伝送特性測定部１５ａは、規定期間（６０秒間）よりも短い評価対象期間（１秒間）において受信した音声パケットの伝送特性情報を、規定期間（６０秒間）が満了するまで繰り返して出力する。ＲＴＰテスタ部１５ｂは、伝送特性測定部１５ａによって出力された伝送特性情報に基づいて評価値（Ｒ値）を算出する。
【０１５７】
したがって、規定期間において測定された伝送特性情報に基づいて音声品質の評価値を算出する場合であっても、短期間における音声品質の評価を実現する音声評価装置を提供することができる。
【０１５８】
これにより、無線通信環境下における評価対象期間の評価を行うことが可能となる。よって、無線端末１において、音声評価値の低下に即応して、音声符号化方式を低レート用／高レート用に切り換えることができる。さらに、ＥＶＤＯ、ＷｉＭＡＸ、Ｗ−ＬＡＮなど、異なる無線通信システム間でのハンドオーバ時の音声評価が可能となる。
【０１５９】
なお、本実施形態によれば、伝送特性測定部１５ａは、式（２）に従って伝送遅延を測定する。つまり、タイムスタンプやＲＴＴを用いることなく、伝送遅延が測定される。このため、無線端末１とＩＰ電話端末４とが非同期である場合や、上りのパケット伝送経路と下りのパケット伝送経路とで伝送遅延が異なる場合であっても、受信したＲＴＰパケットの伝送遅延を測定することが可能となる。
【０１６０】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１６１】
上述した実施形態においては、無線通信システム特定部１５３ｂが、評価対象期間における無線通信システムを特定していた。しかしながら、無線通信システム特定部１５３ｂは、基地局識別子に応じて、評価対象期間において接続していた無線基地局又はアクセスポイントを特定してもよい。この場合、無線基地局又はアクセスポイント毎に基準伝送遅延を設定してもよい。
【０１６２】
上述した実施形態では、通信システム１０は、複数の無線通信システムを含んでいたが、１つのみであってもよい。また、上述した実施形態では、音声データのパケット化及び転送のプロトコルとして、ＲＴＰが使用されていたが、他のプロトコルであってもよい。
【０１６３】
上述した実施形態では、評価対象期間が１秒間程度であり、規定期間が最低６０秒間程度である場合について説明したが、これに限らず、評価対象期間は規定期間よりも短い期間であればよい。
【０１６４】
上述した実施形態では、無線端末１において音声評価を行う構成を説明したが、ＩＰ電話端末４などの固定型の通信端末において音声評価を行う構成に適用してもよい。さらに、音声評価のみを行う場合には、上述した伝送特性測定部１５ａ及びＲＴＰテスタ部１５ｂを通信端末（無線端末１）の外部に設ける構成であってもよい。
【０１６５】
また、ＲＴＰテスタ部１５ｂにおいて、エミュレータ部１５７に代えて、実際のネットワークを用いてもよい。この場合、制御メッセージ送受信部１５５ａ、送信制御部１５５ｂ、ＲＴＰ試験パケット送信部１５５ｃ、及び制御パケット送受信部１５５ｄがパケット送信側に配置される。また、ＲＴＰ試験パケット受信部１５６ａは、ネットワークを介してＲＴＰ試験パケットを受信する。
【０１６６】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１６７】
【図１】本発明の実施形態に係る通信システムの全体概略構成図である。
【図２】本発明の実施形態に係る無線端末の概略構成図である。
【図３】本発明の実施形態に係る無線端末に設けられるジッタバッファの動作を説明する説明図である。
【図４】本発明の実施形態に係る無線端末の制御部及び記憶部によって実行される各機能の機能ブロック図である。
【図５】本発明の実施形態に係る無線情報によって実行される伝送遅延測定処理を説明するための説明図である。
【図６】本発明の実施形態に係る無線情報の一例を示す模式図である。
【図７】本発明の実施形態に係る伝送特性測定部及びＲＴＰテスタ部によって実行されるエミュレート処理を説明するための説明図である。
【図８】本発明の実施形態に係る評価値算出処理におけるパケット間隔とがシーケンス番号差との関係を示す図である。
【図９】本発明の実施形態に係る評価値算出処理における再生速度を説明するための説明図である。
【図１０】本発明の実施形態に係る無線端末によって実行される評価値算出手順の概要を示すフローチャートである。
【図１１】本発明の実施形態に係る無線端末によって実行されるエミュレート手順を示すフローチャートである。
【図１２】本発明の実施形態に係る無線端末によって実行される評価値算出手順の詳細を示すフローチャートである。
【符号の説明】
【０１６８】
１…無線端末、３…通信ネットワーク、４…ＩＰ電話端末、１０…通信システム、１１ａ〜１１ｃ…アンテナ、１２ａ…ＥＶ−ＤＯ通信部、１２ｂ…ＷｉＭＡＸ通信部、１２ｃ…ＬＡＮ通信部、１３…操作部、１４…音声コーデック部、１５…制御部、１５ａ…伝送特性測定部、１５ｂ…ＲＴＰテスタ部、１５ｃ…符号化制御部、１６ａ…マイク、１６ｂ…スピーカ、１７…表示部、１８…記憶部、１８ａ…無線情報記憶部、１８ｂ…受信パケット情報記憶部、１８ｃ…基準伝送遅延記憶部、１９…ジッタバッファ、３１…無線基地局、３２…無線基地局、３３…アクセスポイント、１５１ａ…無線情報取得部、１５１ｂ…パケット受信部、１５２ａ…安定期間特定部、１５２ｂ…送信間隔算出部、１５２ｃ…相対遅延算出部、１５２ｄ…伝送特性情報生成部、１５３ａ…評価対象期間選択部、１５３ｂ…無線通信システム特定部、１５４ａ…計時部、１５４ｂ…時間拡張制御部、１５５ａ…制御メッセージ送受信部、１５５ｂ…送信制御部、１５５ｃ…ＲＴＰ試験パケット送信部、１５５ｄ…制御パケット送受信部、１５６ａ…ＲＴＰ試験パケット受信部、１５６ｂ…統計量算出部、１５６ｃ…制御パケット送受信部、１５６ｄ…ＲＴＴ測定部、１５６ｅ…測定制御部、１５６ｆ…制御メッセージ送受信部、１５７…エミュレータ部、１５８…評価値算出部、１５９ａ…ジッタバッファ部、１５９ｂ…バッファ制御部、１５９ｃ…再生速度算出部
【図１】
2009033684.tif 000005
【図２】
2009033684.tif 000006
【図３】
2009033684.tif 000007
【図４】
2009033684.tif 000008
【図５】
2009033684.tif 000009
【図６】
2009033684.tif 000010
【図７】
2009033684.tif 000011
【図８】
2009033684.tif 000012
【図９】
2009033684.tif 000013
【図１０】
2009033684.tif 000014
【図１１】
2009033684.tif 000015
【図１２】
2009033684.tif 000016